(57)【要約】  本発明の実施形態は、芳香族炭化水素供給流から芳香族炭化水素を分離するための装置を提供する。本装置は、膜支持体と、膜支持体上に配置された親水性ポリマー膜マトリックスとを含む。親水性ポリマー膜マトリックスは、有効量のポリビニルアルコールと、有効量のアルギン酸ナトリウムとを含む。本装置は、架橋剤を使用して親水性ポリマー膜マトリックスに結合された担体剤をさらに含む。担体剤は、脂肪族に比べて、芳香族に対してより高い親和性を示す。本装置は、膜支持体を保持するように構成される膜ハウジングをさらに含む。膜ハウジングは、入口、透過液出口、および保持液出口を含み、入口は、芳香族炭化水素供給流を受容するように動作可能であり、透過液出口は、透過液流を排出するように動作可能であり、保持液出口は保持液流を排出するように動作可能である。【特許請求の範囲】
【請求項１】
芳香族炭化水素供給流から芳香族炭化水素を分離するための装置であって、前記装置が、
膜支持体と、
前記膜支持体上に配置された親水性ポリマー膜マトリックスであって、有効量のポリビニルアルコールと有効量のアルギン酸ナトリウムとを含む、親水性ポリマー膜マトリックスと、
架橋剤を使用して前記親水性ポリマー膜マトリックスに結合される担体剤であって、脂肪族と比べて芳香族に対してより大きな親和性を示す、担体剤と、
前記膜支持体を保持するように構成される膜ハウジングであって、前記膜ハウジングは、入口、透過液出口、および保持液出口を備え、前記入口は、前記芳香族炭化水素供給流を受容するように動作可能であり、前記透過液出口は、透過液流を排出するように動作可能であり、前記保持液出口は、保持液流を排出するように動作可能である、膜ハウジングと、を備え、
前記装置が、前記芳香族炭化水素供給流が前記膜ハウジング内に導入されるとき、非芳香族炭化水素から芳香族炭化水素を分離するように動作可能である、装置。
【請求項２】
前記担体剤が、金属塩、アミン、およびこれらの組み合わせからなる群から選択される、請求項１に記載の装置。
【請求項３】
前記担体剤が、担体溶液を得ることと、前記担体溶液を前記親水性ポリマー膜マトリックスに接触させることとにより、前記親水性ポリマー膜マトリックスに結合され、前記担体溶液が、約２〜約１５重量パーセントの量の硝酸銀と、約５重量パーセントの量のグルタルアルデヒドと、を水とともに含む、請求項１または２のいずれかに記載の装置。
【請求項４】
前記膜支持体が、ポリアクリロニトリルを含む、請求項１〜３のいずれかに記載の装置。
【請求項５】
前記親水性ポリマー膜マトリックスが、ポリアクリル酸、キトサン、ポリアクリルアミド、ポリビニルアミン、およびこれらの組み合わせからなる群から選択される追加の親水性ポリマーをさらに含む、請求項１〜４のいずれかに記載の装置。
【請求項６】
前記親水性ポリマー膜マトリックスが、流延溶液で前記膜支持体を被覆することにより、前記膜支持体上に配置され、前記流延溶液が、約１〜約５重量パーセントの量のポリビニルアルコールと、約１〜約５重量パーセントの量のアルギン酸ナトリウムと、を水とともに含む、請求項１〜５のいずれかに記載の装置。
【請求項７】
前記架橋剤が、グルタルアルデヒドを含む、請求項１〜６のいずれかに記載の装置。
【請求項８】
前記膜ハウジングが、渦巻ハウジング、プレートおよびフレームハウジング、ならびに中空糸束ハウジングからなる群から選択される、請求項１〜７のいずれかに記載の装置。
【請求項９】
前記装置が、少なくとも約４０の選択性を有するように動作可能である、請求項１〜８のいずれかに記載の装置。
【請求項１０】
促進輸送膜を生成する方法であって、
親水性ポリマーおよび蒸留水を含む流延溶液を得ることと、
前記流延溶液で膜支持体を被覆して、親水性ポリマー膜支持体を形成することと、
前記親水性ポリマー膜支持体を乾燥させることと、
担体剤、架橋剤、および蒸留水を含む担体溶液を得ることと、
前記担体溶液を前記親水性ポリマー膜支持体に接触させることと、
前記親水性ポリマー膜支持体を乾燥させて、前記促進輸送膜を形成することと、を含み、前記促進輸送膜が、芳香族および非芳香族炭化水素で構成される炭化水素流が、膜動作条件下で前記促進輸送膜に導入されるとき、非芳香族成分から芳香族成分を分離するように動作可能である、方法。
【請求項１１】
前記担体剤が、金属塩、アミン、およびこれらの組み合わせからなる群から選択される、請求項１０に記載の方法。
【請求項１２】
前記担体溶液を得ることが、約２〜約１５重量パーセントの量の硝酸銀を、蒸留水中の約５重量パーセントの量のグルタルアルデヒドで溶解することをさらに含む、請求項１０または１１のいずれかに記載の方法。
【請求項１３】
前記親水性ポリマーが、ポリビニルアルコール、アルギン酸ナトリウム、ポリアクリル酸、キトサン、ポリアクリルアミド、ポリビニルアミン、およびそれらの組み合わせからなる群から選択される、請求項１０〜１２のいずれかに記載の方法。
【請求項１４】
前記流延溶液を得ることが、蒸留水中で、最大５重量パーセントの前記親水性ポリマーを溶解することをさらに含む、請求項１０〜１３のいずれかに記載の方法。
【請求項１５】
前記流延溶液を得ることが、蒸留水中の約１〜約５重量パーセントの量のアルギン酸ナトリウムで約１〜約５重量パーセントの量のポリビニルアルコールを溶解することをさらに含む、請求項１０〜１４のいずれかに記載の方法。
【請求項１６】
前記膜動作条件が、パーベーパレーション条件を含む、請求項１０〜１５のいずれかに記載の方法。
【請求項１７】
非芳香族成分から芳香族成分を分離するために促進輸送膜を使用する方法であって、
少なくとも前記芳香族成分の一部が、親水性ポリマー膜マトリックスにわたって拡散するような、膜動作条件下で、請求項１に記載の装置の前記入口に芳香族成分と非芳香族成分とを含む炭化水素流を供給することと、
前記透過液出口を通して、前記炭化水素流と比べて芳香族成分に富む透過液流を引き出すことと、
前記保持液出口を通して、前記炭化水素流と比べて非芳香族成分に富む保持液流を引き出すことと、を含む、方法。
【請求項１８】
追加の芳香族成分を除去する蒸留条件下で、蒸留塔に前記保持液流を導入して、希薄非芳香族流と希薄芳香族流とを形成することをさらに含む、請求項１７に記載の方法。
【請求項１９】
前記膜動作条件が、パーベーパレーション条件を含む、請求項１７または１８のいずれかに記載の方法。
【請求項２０】
前記炭化水素流が液相にある、請求項１７〜１９のいずれかに記載の方法。
【発明の詳細な説明】
【技術分野】
【０００１】
本発明の実施形態は、芳香族および脂肪族化合物の両方を有する炭化水素流から芳香族を分離するために動作可能である促進輸送膜（ＦＴＭ）に関する。
【背景技術】
【０００２】
芳香族炭化水素（例えば、ベンゼン、トルエン、キシレン（ＢＴＸ））は、石油化学製品の生産において重要な前駆体として作用する。加えて、芳香族の分離は、石油精製における芳香族含有流の改善および調整に有用である。したがって、これらすべての流れから芳香族を回収するために役立つ経済的な方法を提供することは、有益であろう。
【０００３】
石油精製から芳香族を分離するための典型的な方法は、液体／液体抽出、および抽出または共沸蒸留を含み得る。しかし、これらの方法は、典型的には、非常に高価であり、資本集約的である。例えば、蒸留塔（ｄｉｓｔｉｌｌａｔｉｏｎ  ｃｏｌｕｍｎｓ）は、典型的には、最大３００フィートの高さであり、２００枚を超えるトレイを含有し得る。還流比は、一般的に１０を超え、したがって、本処理は、非常にエネルギー集約型である。このように、より経済的な分離処理が必要とされる。
【０００４】
膜のパーベーパレーション（ｐｅｒｖａｐｏｒａｔｉｏｎ）処理は、様々な種類の炭化水素を分離するために使用されてきた。しかし、これらの従来の膜の多くは、低い選択性（すなわち、５〜２０）および／または低いフラックス速度（０．０３〜０．３ｋｇ／ｍ２／時）に悩まされている。したがって、従来の膜の商業的実現性は限られ、それらが、例えば、抽出蒸留などの従来の膜のパーベーパレーション処理と競合することを妨げる。したがって、従来の膜の上に、フラックス速度および／または選択性を改善したＦＴＭを有することは、有利であろう。ＦＴＭが、従来の膜を超える強度および安定性を提供する場合にも有利であろう。
【発明の概要】
【０００５】
本発明の実施形態は、一般的に、ＦＴＭと、ＦＴＭを生成および使用する方法とを対象とする。一実施形態によれば、ＦＴＭは、芳香族および非芳香族の両方を含む炭化水素流から高価値の芳香族の分離および回収を支援する。別の実施形態において、ＦＴＭは、さらなる分離を提供するために、抽出蒸留処理と組み合わされる。
【０００６】
本発明の様々な実施形態は、ＦＴＭの開発と、石油精製所での芳香族含有流のような非芳香族富化流から、費用対効果の高い方法で高価値の芳香族炭化水素を分離して回収するためにＦＴＭを生成および使用する方法とに関する。例えば、一実施形態において、錯化剤が炭化水素供給の中の芳香族と選択的に相互作用するように、ＦＴＭは、ポリマー親水性膜の骨格または膜マトリックスの上に、錯化剤（すなわち、芳香族に対する強い親和性を示す担体）を組み込むことによって取得され、それによって、従来のポリマー膜と比べて膜の分離特性を大幅に増強させる。ＦＴＭは、従来の膜よりも著しく高い選択性を有する優れた性能を示す。実施形態によれば、ＦＴＭは、少なくとも約４０の選択性を有するように動作可能である。
【０００７】
別の実施形態によれば、ＦＴＭは、ポリビニルアルコール（ＰＶＡ）、アルギン酸ナトリウム（ＳＡ）のようなガラス状親水性ポリマーの組み合わせから作られる。銀塩は、脂肪族よりもむしろ芳香族に対して強い親和性を有するので、硝酸銀（ＡｇＮＯ３）のような銀塩が、錯化剤（例えば、担体）として使用される。
【０００８】
別の実施形態によれば、芳香族炭化水素供給流から芳香族炭化水素を分離するための装置が提供される。本装置は、膜支持体と、膜支持体上に配置された親水性ポリマー膜マトリックスと、架橋剤を使用して親水性ポリマー膜マトリックスに結合される担体剤と、膜支持体を保持するように構成される膜ハウジングとを含む。親水性ポリマー膜マトリックスは、有効量のＰＶＡおよびＳＡを含む。担体剤は、脂肪族と比べて芳香族に対してより高い親和性を示し得る。膜ハウジングは、入口、透過液出口、および保持液出口を含む。入口は、芳香族炭化水素供給流を受信するように動作可能であり、透過液出口は、透過液流を排出するように動作可能であり、保持液出口は、保持液流を排出するように動作可能である。本装置は、芳香族炭化水素供給流が、膜動作条件下で膜ハウジング内に導入されるとき、非芳香族炭化水素から芳香族炭化水素を分離するように動作可能である。
【０００９】
別の実施形態によれば、担体剤は、金属塩、アミン、およびこれらの組み合わせからなる群から選択される。別の実施形態では、担体剤は、ＡｇＮＯ３を含む。好ましい実施形態において、ＡｇＮＯ３は、有効量の架橋剤（好ましくは、約５重量パーセント）、および約８０〜約９３重量パーセントの量の水（好ましくは蒸留水）と混合された約２〜約１５重量パーセントの量のＡｇＮＯ３の担体溶液を作ることにより、親水性ポリマー膜マトリックスに組み込まれ、その後、担体剤と親水性ポリマー膜マトリックスとの結合に有効な期間、親水性ポリマー膜マトリックスを担体溶液に接触させる。
【００１０】
別の実施形態によれば、膜支持体は、ポリアクリロニトリルを含む。別の実施形態において、親水性ポリマー膜マトリックスは、ＰＶＡ、ＳＡ、ポリアクリル酸、キトサン、ポリアクリルアミド、ポリビニルアミン、およびそれらの組み合わせからなる群から選択される追加の親水性ポリマーを含む。
【００１１】
別の実施形態によれば、親水性ポリマー膜マトリックスは、親水性ポリマーおよび蒸留水を含む流延溶液を得ることと、流延溶液で膜支持体を被覆することとによって形成される。一実施形態において、親水性ポリマーは、ＰＶＡおよびＳＡを含む。別の実施形態において、流延溶液は、約１〜約５重量パーセントの量のＰＶＡ、約１〜約５重量パーセントの量のＳＡ、および残部の水を含む。
【００１２】
別の実施形態によれば、架橋剤はグルタルアルデヒドを含む。別の実施形態において、膜ハウジングは、以下のいずれかである。渦巻ハウジング、プレートおよびフレームハウジング、ならびに中空糸束ハウジング。
【００１３】
本発明のある実施形態はまた、ＦＴＭの生成方法を提供する。例えば、本発明の実施形態によれば、ＦＴＭを生成する方法は、親水性ポリマーおよび蒸留水を含む流延溶液を得るステップと、親水性ポリマー膜を形成するために流延溶液で膜支持体を被覆するステップと、親水性ポリマー膜支持体を乾燥させるステップとを含む。本方法は、担体剤、架橋剤、および蒸留水を含む担体溶液を得るステップと、担体溶液を親水性ポリマー膜支持体に接触させるステップと、膜支持体を乾燥させるステップとをさらに含む。芳香族および非芳香族炭化水素を有する炭化水素流が、膜動作条件下でＦＴＭに導入されるとき、ＦＴＭ製品は、非芳香族成分から芳香族成分を分離するように動作可能である。
【００１４】
一実施形態によれば、担体溶液を得るステップは、残部の蒸留水とともに、約２〜約１５重量パーセントの量のＡｇＮＯ３を約５重量パーセントの量のグルタルアルデヒドで溶解することを含む。別の実施形態において、親水性ポリマーは、ＰＶＡ、ＳＡ、ポリアクリル酸、キトサン、ポリアクリルアミド、ポリビニルアミン、およびそれらの組み合わせからなる群から選択される。
【００１５】
別の実施形態によれば、流延溶液を得るステップは、蒸留水に最大５重量パーセントの親水性ポリマーを溶解することを含む。別の実施形態によれば、流延溶液を得るステップは、残部の蒸留水とともに、約１〜約５重量パーセントの量のＰＶＡを約１〜約５重量パーセントの量のＳＡで溶解することを含む。
【００１６】
本発明の特定の実施形態は、ＦＴＭを使用して炭化水素流の中の非芳香族成分から芳香族成分を分離するための方法をさらに提供する。一実施形態において、少なくとも芳香族成分の一部が親水性ポリマー膜マトリックスにわたって拡散するように、芳香族成分を分離するためにＦＴＭを使用する方法は、膜動作条件下で、本明細書中に記載のいずれかの装置の入口に芳香族成分および非芳香族成分を含む炭化水素流を供給するステップを含む。この方法はさらに、透過液出口を通して炭化水素流と比べて芳香族成分に富む透過液流を引き出し、かつ保持液出口を通して炭化水素流と比べて非芳香族成分に富む保持液流を引き出すステップを含む。
【００１７】
別の実施形態によれば、本方法は、追加の芳香族成分を除去する蒸留条件下で蒸留塔に保持液流を導入し、希薄非芳香族流および希薄芳香族流を形成するステップをさらに含む。別の実施形態において、膜動作条件は、通常、パーベーパレーション（ｐｅｒｖａｐｏｒａｔｉｏｎ）の間に遭遇する動作条件を含む。別の実施形態において、炭化水素流は液相にある。
【発明を実施するための形態】
【００１８】
以下の詳細な説明は、例示の目的のために多くの具体的な詳細を含むが、以下の詳細における多くの例、変形、および代替物は本発明の範囲および趣旨内であることを関連技術分野の当業者は認識するであろうと理解される。したがって、本明細書に記載されている、本発明の例示的な実施形態は、一般性を失うことなく、かつ制限を課されることなく、請求項に係る発明に関連して示される。
【００１９】
本発明の実施形態は、親水性ポリマーから調製されるＦＴＭを対象とする。ＦＴＭは、かかる炭化水素を含有する混合物から芳香族および非芳香族炭化水素を分離するのに有用である。本発明の他の実施形態は、ＦＴＭを調製するための処理を対象とし、該処理は、ポリマーの架橋を促進するために、膜動作条件下でＦＴＭのポリマーを有効量の架橋剤に接触させ、これにより、架橋されたポリマー膜を形成することを含む。本発明の様々な実施形態によれば、架橋されたポリマー膜は、芳香族炭化水素に対する選択性を示す。
【００２０】
ある実施形態によれば、ＦＴＭを調製するために使用され得る好適な親水性ポリマーは、ＰＶＡおよびＳＡを含む。別の実施形態において、追加の親水性ポリマーは、以下のうちの１つ以上を含む：ポリアクリル酸、キトサン、ポリアクリルアミド、ならびにポリビニルアミン。好ましくは、本発明の親水性ポリマーは、親水性ポリマーが、好適な膜動作条件下で有効量の架橋剤の存在において架橋を受けるように選択される。
【００２１】
実施形態は、ＦＴＭの開発に焦点をあてる。任意に、ＦＴＭ膜は、より費用効率の良い方法で、高価値の芳香族を分離し、回収するための抽出蒸留処理と結合される。一実施形態において、石油精製からの芳香族含有流は、炭化水素供給として使用される。炭化水素供給のための他の許容可能な供給源は、非限定的な例として、ナフサクラッカ供給流、輸送用ガソリン燃料混合供給原料、および改質油流出流を含む。
【００２２】
さらに、一実施形態では、ＦＴＭは、親水性ポリマー膜の骨格または膜マトリックス上で、錯化剤または担体を組み込む（すなわち、芳香族に対する強い親和性を示す）ことによって得られる。錯化剤は、混合物の中の芳香族と選択的に相互作用するように動作可能である。実施形態によれば、ＦＴＭは、少なくとも約４０の選択性を有するように動作可能である。
【００２３】
別の実施形態において、膜動作条件は、パーベーパレーションおよびパーストラクション（ｐｅｒｓｔｒａｃｔｉｏｎ）を含む。パーベーパレーションは、透過化合物を除去するために、膜の透過液側を真空（すなわち、低下圧力）にし、一方、パーストラクションは、透過液を運び出すために、液体または気体掃引流を利用する。このように、従来の蒸留処理および他の従来の抽出処理とは異なり、パーベーパレーションまたはパーストラクションにおける分離メカニズムは、成分の相対揮発度に基づかず、むしろ、分離メカニズムは、供給物質の収着および拡散特性と、ＦＴＭの選択透過性との間の差に基づく。
【００２４】
一実施形態では、ＦＴＭは、石油および化学流内の非芳香族からの、硫黄および窒素ヘテロ原子環式化合物を含む芳香族の分離に有用であり、また、飽和物からの、大きな置換芳香族の分離に特に有用であることが発見された。典型的な供給流は、重質接触ナフサ流、中間接触ナフサ流、軽質芳香族コンテンツ流、光触媒サイクル油、ジェット燃料、ディーゼル、および回収可能な量のＢＴＸ、または飽和物と組み合わせた他の芳香族を含有する化学工場内での流れを含む。
【００２５】
一実施形態では、膜自体は、任意の便利なモジュール設計を利用する任意の便利な形態であり得る。したがって、膜材料のシートは、渦巻またはプレート、およびフレーム透過セルモジュールにおいて使用され得る。膜の中空糸ハウジングは、チューブまたは繊維の内部空間における供給または掃引液体（または真空）のいずれかと束になった構成で使用され得、他の材料は、他方の側にある。
【００２６】
さらなる実施形態では、ＦＴＭの使用は、別個の抽出蒸留処理の前または後に統合されることが可能であろう。蒸留処理の前に使用される場合、ＦＴＭは、一つにはより少ない供給流量が処理されることによって、既存の塔（ｃｏｌｕｍｎ）からのより高い生成物の収率または品質を可能にする。蒸留処理に続いて使用される場合、特に高純度の製品が必要とされる場合、ＦＴＭは、蒸留塔の上部または底部いずれかの生成物の研磨ステップとして作用する。
【００２７】
本発明の様々な実施形態によれば、ＦＴＭは、従来の膜上に進歩性のある利点を提供する。例えば、本発明の少なくとも１つの実施形態によるＦＴＭは、芳香族および脂肪族化合物の両方を有する炭化水素流から芳香族を分離するために動作可能であるＦＴＭと、ＦＴＭを生成および使用する処理とを提供し、この処理は、全体的な処理に必要なエネルギー消費の低減および膜交換コストの低減による節減によって、炭化水素流からの芳香族の分離に関連する投資および運用コストを削減する。
【実施例】
【００２８】
以下の実施例は、本発明の実施形態を示す目的のために提供される。しかし、これらの実施例は本質的に単なる例示であり、本発明の処理の実施形態は、必ずしもこれに限定されないことが理解されるべきである。
【００２９】
芳香族および脂肪族化合物の両方を含有する炭化水素供給は、１：４の比のベンゼン対シクロヘキサンを伴いて調製された。サイズおよび沸点がベンゼンと似ているため、シクロヘキサンが脂肪族化合物の代表として使用された。膜ハウジングは、親水性ポリマー膜マトリックスが板上に配置された多孔質金属板（すなわち、膜支持体）によって２つの区画に分離されたセルを使用して作られた。膜ハウジングは、ベンゼン・シクロヘキサン溶液の混合液で満たされた５Ｌの貯蔵容器を通し、ポンプを介して付着された。既知組成物の供給溶液は、膜セルの供給側を通り過ぎてポンプ輸送され、その後、制御された流量で貯蔵容器に戻される。貯蔵容器内のベンゼン濃度は、熱検出器および積分器を備えたガスクロマトグラフ（例えば、Ｖａｒｉａｎ  ３３００）を用いて、時間に対して測定された。膜貫通フラックスは、下流の真空ポンプによって生成され、透過測定は、膜の下流側の真空下で行われた。上流の圧力は、大気圧に維持された。膜ハウジングの他方の側は、通常、透過蒸気を凝縮し、収集するために、真空ポンプに液体窒素冷却トラップを介して付着された。冷却トラップ内に蓄積され透過液の重量および濃度はまた、収集された試料の重量の測定およびガスクロマトグラフィー分析によって、それぞれ経時的に決定された。典型的なパーベーパレーション実験において、透過液の試料が約１〜３時間の期間にわたって収集される前に、膜フラックスは、約２〜３時間安定化させることが可能であった。実験は、０．２ｍｍＨｇの透過圧力、３０℃の温度、および異なるポリマー膜の種類により実施された。
【００３０】
親水性ポリマー膜マトリックスを作るために、いくつかの流延溶液を、約９０℃の蒸留水に様々な量のＰＶＡおよびＳＡを個別に溶解することによって調製し、各ポリマーのための均質な溶液を生成した。担体溶液は、２〜１５重量パーセントのＡｇＮＯ３と、蒸留水中の５重量パーセントのグルタルアルデヒド（ＧＡ）架橋剤とを混ぜることによって調製した。流延溶液は、その後、膜支持体（ＰＡＮ）上で被覆され、一晩放置して乾燥させた。被覆膜を、約５分間担体溶液に浸漬させ、その後、取り出し、一晩乾燥させた。複合膜は、架橋および担体溶液に浸漬された時、暗緑色になった。４つの膜の組成物は、以下の表１で提供される。
【００３１】
【表１】
2015508710.tif 000002
【００３２】
調製されたＦＴＭは、透過側を真空下に保持して、上で説明した膜ハウジング中、１：４（重量／重量）のベンゼン：シクロヘキサンの供給濃度で試験された。結果は、以下の表２で提供される。
【００３３】
【表２】
2015508710.tif 000003
【００３４】
フラックスは、以下の等式に基づいて算出された。
【００３５】
【数１】
2015508710.tif 000004
式中、ｑはフラックス、ｍは透過流動体の質量（ｋｇ）、Ａは有効膜の断面積（ｍ２）、ｔは時間（時間（ｈｏｕｒ））である。
【００３６】
総ベンゼン・シクロヘキサンフラックスは、冷却トラップに集められた液体、収集時間、および供給溶液と接触する膜表面積から決定された。個々のベンゼンおよびシクロヘキサンフラックスは、全フラックスおよびベンゼン濃度から算出された。
【００３７】
処理の分離係数は、以下の等式により決定された。
【００３８】
【数２】
2015508710.tif 000005
式中、［Ｃａ］ｐは、透過液の中のベンゼンの濃度、［Ｃｎ］ｐは、透過液の中のシクロヘキサンの濃度、［Ｃａ］ｆは、供給の中のベンゼンの濃度、［Ｃｎ］ｆは、供給の中のシクロヘキサンの濃度である。
【００３９】
本発明は、開示された要素を好適に含み、それらから構成され、またはそれらから本質的に構成され得、開示されていない要素がない限り実施され得る。例えば、いくつかのステップは、単一のステップに集約可能であることが当業者によって認識され得る。
【００４０】
特に定義されない限り、使用される全ての技術および科学用語は、本発明が属する技術分野の当業者によって一般的に理解されるものと同じ意味を有する。
【００４１】
単数形「ａ」、「ａｎ」、および「ｔｈｅ」は、文脈により特に明確に指示されない限り、複数の指示対象を含む。
【００４２】
本明細書で使用されるとき、および添付の特許請求の範囲において、「含む（ｃｏｍｐｒｉｓｅ）」、「有する（ｈａｓ）」、および「含む（ｉｎｃｌｕｄｅ）」のような用語、およびそのすべての文法上の変化形はそれぞれ、追加要素またはステップを排除しない開放的で非限定的な意味を有するように意図される。
【００４３】
「任意に」は、続いて記載される事象または状況が、起こり得る、または起こり得ないことを意味する。本説明は、事象または状況が起こる事例、およびそれが起こらない事例を含む。
【００４４】
範囲は、ほぼ１つの特定の値からおよび／またはほぼ別の特定の値までのものとして、本明細書で表現され得る。かかる範囲が表現されるとき、別の実施形態は、前述の範囲内の全ての組み合わせに加えて、ある特定の値から、および／または他の特定の値までであることが理解されるべきである。
【００４５】
本発明を詳細に説明してきたが、本発明の原理および範囲から逸脱することなく、種々の変更、置換、および変形をこれに行うことが可能であることを理解されたい。したがって、本発明の範囲は、以下の特許請求の範囲およびその適切な法的均等物によって決定されるべきである。
【国際調査報告】
2015508710.tif 000006
2015508710.tif 000007
2015508710.tif 000008